(57)【要約】  充足されていない処方は、「逆オークション」を目的として、事前に資格を与えられた薬局を含むレジストリへ提出される。「逆オークション」では、薬局が、処方を充足する機会を得るために入札する。薬局は、価格に基づいて、および／または補助的サービスを提案して、入札することを許される。オークションは、更に、指定された薬剤認知サービスの供給について入札するために使用されてよい。方法は、更に、ジェネリック代替品または類似の代替薬剤製品とのコスト比較を行うことを含んでよい。システムは、更に、処方者による類似代替品リストのレビュー、または第三者支払人の事前許可を自動的に要求することを含んでよい。逆オークションの勝利者は顧客によって選択される。
2007506195.tif 000002
【特許請求の範囲】
【請求項１】
処方された製品および／またはサービスの充足を容易にするシステムであって、
顧客が、患者情報および少なくとも１つの未充足処方の情報を提出し、該未充足処方を充足するために行われた入札に関する情報を受け取るための少なくとも１つの第１の入力／出力手段と、
事前に資格を与えられた処方充足提供者を含むレジストリへ前記未充足処方の情報を通信し、該事前に資格を与えられた処方充足提供者が、相互作用的に入札を提出して前記未充足処方を充足するための少なくとも１つの第２の入力／出力手段と、
前記第１の入力／出力手段および前記第２の入力／出力手段と電子的に通信するデータ記憶および処理ユニットと
を備えるシステム。
【請求項２】
前記第１の入力／出力デバイスが、イントラネット、インターネット、またはこれら双方へのインタフェースである、請求項１に記載のシステム。
【請求項３】
前記第２の入力／出力デバイスが、イントラネット、インターネット、またはこれら双方へのインタフェースである、請求項１に記載のシステム。
【請求項４】
前記電子的に通信することが、イントラネット、インターネット、またはこれら双方を介して行われる、請求項１に記載のシステム。
【請求項５】
前記処方が薬剤のためであり、前記方法が、更に、類似製品の価格比較を実行し、処方された薬剤と潜在的に類似する製品のリストを識別すると共に、そのようにして識別された類似製品の相対的コストを識別する手段を備える、請求項１に記載のシステム。
【請求項６】
更に、自動入札手段を備える、請求項１に記載のシステム。
【請求項７】
更に、処方された製品の製造者および／または供給者が、顧客へのダイレクト広告および／またはコスト奨励品を提供するための手段を備える、請求項１に記載のシステム。
【請求項８】
前記コスト奨励品が電子クーポンである、請求項７に記載のシステム。
【請求項９】
処方を処理するシステムであって、
顧客が、患者情報および少なくとも１つの未充足処方の情報を提出し、該未充足処方を充足するために行われた入札に関する情報を受け取るための少なくとも１つの第１の入力／出力手段と、
事前に資格を与えられた薬局を含むレジストリへ前記未充足処方の情報を通信し、該事前に資格を与えられた薬局が、逆オークションで相互作用的に入札を提出して前記未充足処方を充足するための少なくとも１つの第２の入力／出力手段と、
前記第１の入力／出力手段および前記第２の入力／出力手段と電子的に通信するデータ記憶および処理ユニットと
を備えるシステム。
【請求項１０】
前記第１の入力／出力デバイスが、イントラネット、インターネット、またはこれら双方へのインタフェースである、請求項９に記載のシステム。
【請求項１１】
前記第２の入力／出力デバイスが、イントラネット、インターネット、またはこれら双方へのインタフェースである、請求項９に記載のシステム。
【請求項１２】
前記電子的に通信することが、イントラネット、インターネット、またはこれら双方を介して行われる、請求項９に記載のシステム。
【請求項１３】
更に、類似製品の価格比較を実行して、処方された薬剤のジェネリック代替品または薬剤同等品を識別し、そのようにして識別された代替または類似代替製品のコストを決定する手段を備える、請求項９に記載のシステム。
【請求項１４】
更に、自動入札手段を備える、請求項９に記載のシステム。
【発明の詳細な説明】
【技術分野】
【０００１】
本出願は、２００３年９月１９日に出願された米国仮出願第６０／５０４，４８１号の利益を主張する。この出願の教示および開示は、参照してここに組み込まれる。
本発明は、処方を介して得られるアイテムおよび／またはサービスの引き渡しを促進、売買、配布、評価、販売、および／または促進する方法に関する。具体的には、本発明は、処方製品、サービス、および／または処置のコストを削減し、競争入札サービス提供者の選択プロセスを使用することにより顧客へ提供されるサービスの量および質を増加する方法に関する。
【背景技術】
【０００２】
処方薬への費用は、顧客が直面する最速増大ヘルスケア・コストの１つであり続けている。処方薬の費用増加を推し進める要因は、患者による疾病予防およびクオリティ・オブ・ライフ向上薬剤 (quality-of-life enhancing drug)の使用の増加、製薬会社による患者へのダイレクト・マーケティング、高コスト新薬への使用の変化、製薬会社による価格の値上げ、および処方者および顧客の情報および薬剤経済的論議および選択における参加の欠如を含む。処方薬コストに伴う特別の問題は、処方薬カバレージを欠いている多くの患者が、カバレージを有する患者よりも、しばしば処方のために多くを支払うことである。これは、通常、薬局による「コスト転移」に起因する。薬局は、限られた購買力および情報を有する患者から大きな利益マージンを集めて、事前に協議された価格スケジュールを含む処方プランを有する保険加入患者からの削減された利益を埋め合わせようと試みる。その結果、個人としてほとんどまたは全くマーケット・レバレッジを有しない保険未加入患者が、市場における他の支払人、たとえば第三者支払人、保険会社、政府などよりも高い処方価格を支払うことになる。
【０００３】
処方薬カバレージを欠いているそれらの個人を支援するため、ディスカウント薬剤カード・プログラムが団体によって提案された。その場合、プログラムへの加入者は、参加する薬局からディスカウント金額を受け取る。しかし、ディスカウント薬剤カード・プログラムは、患者が薬物療法を受ける時点で処方価格の１００％を支払うことを要求し、また薬剤師は第三者を介して利益またはディスカウントを裁定することを要求されないため、患者が正しいディスカウント価格を受けている保証はなく、また参加薬局がディスカウント薬剤カード・プログラムの条件で提供することを最初に契約しているという患者擁護の保証もない。
【０００４】
他方では、第三者支払いプログラムは、薬剤コストをコントロールする多くのツールを使用してきた。それらのツールは、処置オプションを節減し、薬局サービスをカットし、製薬会社から邪悪な奨励品を受け取り、負担金支払いを増加して幾つかの薬剤療法コストおよび／またはアクセスを節減し、提供者へのアクセスを制限してきた。
【０００５】
多くの患者は、必要な薬物療法を購入することができない。なぜなら、薬物療法があまりに高価であるか、患者の健康保険プランによって制限されているからである。そのような患者は、「過小処置」と考えられる。過小処置の患者は、誤った処置を受けやすく、しばしば高い費用を払ってヘルスケア・システムで看護を受けなければならず、罹病率および死亡率が増加する場合が多い。
【０００６】
現在のシステムは、処方者、薬剤師、コンサルタント、ＰＢＭ、ＨＭＯ、保険会社その他への様々な奨励品によって、薬剤療法のコストを顧客へ転移する邪悪な方法で充満している。これらの邪悪な奨励品は、薬剤療法の患者コストを増加させるか、患者が所望の製品および／または薬局サービスを受けられないように働き、顧客の費用で上記団体の儲かる動機を満足させている。顧客が処方薬およびサービスを入手することができ、薬剤価格のディスカウントを一貫して顧客へ提供し、所望の薬局サービスの利用可能性を増加し、同時にヘルスケアのトータル・コストを低く保持するツールの必要性が存在する。
【発明の開示】
【０００７】
本発明は、顧客が処方薬およびサービスを取得できるようにし、処方薬療法のコストを削減して所望の薬局サービスへのアクセスを増加する手段を顧客に提供し、更にディスカウント・カード、ＰＢＭ、ＨＭＯ、ヘルス保険プラン、政府プランなどを使用する場合の欠点を克服するツールである。
【０００８】
１つの実施形態において、本発明は、処方製品またはサービスの引き渡しを容易にする方法である。この方法は、処方が処方者によって提供された場合の未充足処方情報および患者情報を、顧客から、事前に資格を与えられた参加処方提供者へ提供し、入札サービス提供者から、事前に資格を与えられた処方提供者のレジストリへ、電子手段を介して未充足処方情報を転送し、事前に資格を与えられた処方提供者が相互作用的および反復的入札で応答して未充足処方を充足する逆オークションを実行し、少なくとも１つの入札を行って処方を充足するように応答する各々の事前資格処方提供者の最低入札の詳細を顧客へ提供し、顧客に勝利入札を選択させるステップを含む。
【０００９】
他の実施形態において、本発明は、処方された製品および／またはサービスの充足を容易にするシステムである。このシステムは、顧客が患者情報および少なくとも１つの未充足処方の情報を提出し、未充足処方を充足するために行われた入札に関する情報を受け取るようにする少なくとも１つの第１の入力／出力手段、未充足処方の情報を、事前に資格を与えられた処方充足提供者を含むレジストリへ通信し、事前に資格を与えられた処方充足提供者が、相互作用的に入札を提出して未充足処方を充足するための少なくとも１つの第２の入力／出力手段、および第１の入力／出力手段および第２の入力／出力手段と電子的に通信するデータ記憶および処理ユニットを備える。
【００１０】
更なる実施形態において、本発明は、処方製品またはサービスの引き渡しを容易にする方法である。この方法は、処方が処方者によって提供される場合の未充足処方情報および患者情報を、顧客から、参加する入札サービス提供者へ提供し、入札サービス提供者から、事前に資格を与えられた薬局のレジストリへ、電子手段を介して未充足処方情報を転送し、事前に資格を与えられた薬局が相互作用的および反復的入札で応答して未充足処方を充足する逆オークションを実行し、少なくとも１つの入札を行って処方を充足する各々の応答する薬局の最低入札の詳細を顧客へ提供し、顧客に勝利入札を選択させるステップを含む。
【００１１】
更なる他の実施形態において、本発明は、処方製品の引き渡しを容易にする方法である。この方法は、顧客から、参加する入札サービス提供者／管理者へ未充足薬剤処方情報および患者情報を提供し、類似製品の価格比較を実行して、処方された薬剤と潜在的に類似した製品のリストを識別すると共に、そのように識別された類似製品の相対的コストを識別し、識別された潜在的代替品で、処方された薬剤を置換する許可を処方者から取得し、入札サービス提供者から、事前に資格を与えられた薬局のレジストリへ、許可されたジェネリック代替品または類似製品を含むように修正された未充足処方情報を、電子手段を介して転送し、事前に資格を与えられた薬局が相互作用的および反復的入札で応答して未充足処方を充足する逆オークションを実行し、少なくとも１つの入札を行って処方を充足する各々の応答する薬局の最低入札の詳細を顧客へ提供し、顧客に勝利入札を選択させるステップを含む。
【００１２】
更なる他の実施形態において、本発明は、薬剤認知サービスを選択する方法である。この方法は、顧客から、参加する入札サービス提供者へ、指定された薬剤認知サービスの要求を提出し、入札サービス提供者から、事前に資格を与えられた薬剤認知サービス提供者のレジストリへ、電子手段を介して、指定された薬剤認知サービスの要求を転送し、事前に資格を与えられた薬剤認知サービス提供者が相互作用的および反復的入札で応答して、指定された薬剤認知サービスを提供する逆オークションを実行し、少なくとも１つの入札を行った各々の応答する薬剤認知サービス提供者の最低入札の詳細を顧客に提供し、顧客に勝利入札を選択させることを含む。
【００１３】
更なる実施形態において、本発明は、処方を処理するシステムである。このシステムは、顧客が患者情報および少なくとも１つの未充足処方を提出し、未充足処方を充足するために行われた入札に関する情報を受け取るための少なくとも１つの第１の入力／出力手段、未充足処方情報を、事前に資格を与えられた処方提供者を含むレジストリへ通信し、事前に資格を与えられた処方提供者が、逆オークションで相互作用的に入札を提出して未充足処方を充足するための少なくとも１つの第２の入力／出力手段、および第１の入力／出力手段および第２の入力／出力手段と電子的に通信するデータ記憶および処理ユニットを備える。
【発明を実施するための最良の形態】
【００１４】
本発明の更なる特徴は、添付の図面を参照して下記の明細書を読むことによって、本発明が関連する当業者へ明らかとなるであろう。
【００１５】
本明細書で使用される「処方」の用語は、医薬品、医療器具、または他の処置の準備および／または管理のための、許可された人によるあらゆる注文を意味する。処方を与える許可は、典型的には、政府または専門家協会によって管理される。許可された人は、非制限的な例として、内科医、眼科医／眼鏡検査士、獣医などを含む。他の処置は、特に、手術、物理療法、精神療法、レンズ矯正、または診断テストを含むことができる。処方は、事前に資格を与えられた適切な処方提供者（即ち、製品またはサービスの分与者、たとえば薬局、内科医、眼鏡店など）によって充足される。明瞭にするために、下記の説明は、処方が薬物治療のためであり、事前に資格を与えられた処方提供者が薬局である実施形態に焦点を当てる。当業者は、本明細書で説明される発明が、処方および／または事前に資格を与えられた処方提供者の他の実施形態の特質によって正当化されるように、修正されてよいことを認識するであろう。
【００１６】
顧客とは、医療または健康関連商品またはサービスを買う人である。顧客は、医療または健康関連商品またはサービスを使用または消費する人である。患者とは、医療、ケア、または処置を受ける人である。顧客は必ずしも顧客または患者ではなく、その逆もそうである（たとえば、小さな子供のために薬を買う両親、ペットのために医療処置を受ける所有者）。例示のみを目的として、下記の説明は、顧客も患者／顧客である場合に焦点を当てる。したがって、これらの用語は、この明細書では互換的に使用される。
【００１７】
本発明によれば、顧客、たとえば薬物治療の処方を保持する患者が、関与する入札サービス提供者／管理者（本明細書では「ＢｉｄＲｘＳＭ」とも呼ばれる）へ処方および患者情報を提供する方法が開示される。処方は、書かれたもの、電子的、ファックス、または電話によるものであってよい。処方は、もし物理的形態（書かれたもの）であれば、患者または患者代理人のところで保持される。入札サービス提供者は、未充足処方情報（患者識別情報を除いたもの）を薬局のレジストリへ供給する。薬局は、入札プロセスに関与して、定められたサービスエリアおよび／または選択または定められたレジストリの中、および／またはメールオーダを介して、その特定の顧客の未充足処方を充足するように、入札サービス提供者によって前もって資格を与えられている。顧客からの処方情報は、好ましくは電子的に、たとえばイントラネットまたはインターネットを介して転送されるが、他の手段、たとえばファックス、書面などによっても可能である。入札への招待に応答するレジストリの薬局（即ち、レジストリ、サービスエリアの中にあって、要求された製品およびサービスなどを提供する）（本明細書では「応答薬局」と呼ばれる）は、それぞれ入札サービス提供者と反復的にインタラクトして、レジストリ内の競争する薬局よりも適したものを患者／顧客に提供し、「逆オークション」で低い価格および／または追加の補助的サービスを提供しようと試みる。即時および継続的に、顧客は、顧客が入札を選択するか、前もって選択された入札期間が終わるまで（その時点で、顧客は好ましい入札を選択するか、全ての入札を断ることができる）、応答薬局の入札に関する情報を提供される。顧客は、特異性規準、たとえば、好ましい薬局（薬局に関する全ての情報は、入札および任意的な薬局ウェブ・サイト・リンクに含まれる）、コスト、提案される補助的サービス、応答薬局から顧客までの近接度などに基づいて応答薬局の中から選択する。次に、選択された薬局は、入札サービス提供者を介して顧客の選択を通知される。次に、顧客および成功した応答薬局は、予約番号（顧客は、更にキー・コードまたはキー番号を提供される）および処方取引の入札仕様および条件に対応する患者の固有情報を提供され、それによって顧客は、薬局が充足する処方を呈示するプロセスを開始することができ、薬局は患者とコンタクトして順応性を増加することができる。
【００１８】
本発明の第１の代替または追加の実施形態は、入札サービス提供者が、典型的には手数料を取って、類似製品の価格比較（ＳＰＰＣ）リストを提供し、また類似しているが比較的低価格の代替薬剤リストを提供するオプション・モジュールを含む。入札サービス提供者は、更に、処方者の適切なレビューのためのＳＰＰＣリストを顧客の処方内科医へ送るように、顧客によって許可されてよく、また、もし必要ならば、許可の前に、患者の相互作用、論議、および行動を送るように許可されてよい。入札サービス提供者によって請求される手数料は、定額または処方の支払人へ提供される節約金額の或るパーセンテージであってよい。手数料は、更に、リストを処方者へ転送するために請求される。
【００１９】
第２の代替または追加の実施形態は、製薬会社が直接または間接に入札プロセスに参加するオプション・モジュールを含む。製薬会社は、更に、患者へ奨励品を提供して（即ち、新しい形式の顧客へのダイレクト広告またはクーポン）、製薬会社によって提供される製品についてマーケットシェアの積極的転移を生成し、更に、革新の拡散を可能にしながら顧客への薬剤療法コストの減少を期待してよい。好ましくは、全てのコスト、資金、およびクーポンは電子的に処理される。このシステムは、更に、購入および製品の選択時に顧客へのダイレクト（ＤＴＣ）広告および／または製品情報ウェブ・リンクを提供する。
【００２０】
本発明の第３の代替または追加の実施形態は、入札サービス提供者が、全ての処方およびサービスについて、第三者がサービス・プラン、負担金支払い、および控除金額を直接セットアップする複数のツールを有するオプション・モジュールを含む。たとえば、入札サービス提供者のツールは、基本プランまたは手数料ベースで提供される追加の利益または制限を有する包括的パッケージのセットアップを提案してよい。追加の利益は、ＢｉｄＲｘＳＭユーザ薬剤療法のプロフィール・レビューを含み、不足薬剤療法または過剰薬剤療法および潜在的薬剤相互作用のような潜在的問題点をチェックしてよい。加入者は、更に、処方について補助的サービスおよび奨励「ポイント」を提供され、このポイントはディスカウントおよび更なる利益のために累積されてよい。システムは、任意的に、顧客のフィードバックおよび専門薬局協力関係フィードバックを可能にする。
【００２１】
図１Ａ〜図１Ｆは、競争的処方薬提供者選択の好ましい実施形態の方法の流れ図である。図１で示される方法は、上記のオプション・モジュールの全てを示す。
【００２２】
ステップ６では、顧客、たとえば処方を受け取る患者は、入札サービス提供者（本明細書では、「ＢｉｄＲｘＳＭ」として示される）へ登録される。入札要求は電子ネットワーク、たとえばイントラネットまたはインターネットを介して、関与する入札サービス提供者へ送信されてよい。代替として、注文は、通常の手段、たとえば本人、電話、メールオーダ、またはファックスによって行われてよい。ステップ６では、顧客は、下記の識別および通信情報を提供することによってサービスを登録する。即ち、たとえば、（１）顧客の名前、（２）顧客の言語選好、（３）顧客のアドレス、および（４）顧客のＥメールアドレスである。
【００２３】
ステップ６の後で、顧客は、薬剤処方およびサービス入札要求をイニシエートしてよい。ステップ８では、顧客は「処方コストの全部または一部分を支払う薬剤カードを持っていますか」と質問される。もし「ノー」であれば、そのまま継続し、もし「イエス」であれば、顧客は第三者／保険モジュール（図１Ｄ）へ導かれる。
【００２４】
ステップ１０では、顧客は、（１）薬剤処方およびサービス入札要求、または（２）薬剤療法管理サービス（ＭＴＭＳ）／薬剤認知サービスのみの入札要求を選択することができる。もし顧客が（１）を選択すれば、プロセスは図１Ｂへ続く。もし顧客が（２）を選択すれば、プロセスは図１Ｇへ続く。
【００２５】
図１Ｂを参照すると、ステップ１２において、顧客は自分のプロフィールを付加し、および／または入札要求に関する情報を入札サービス提供者へ提供してよい。その情報には、非限定的に、患者の名前、患者の言語選好、患者のアドレス、患者のＥメール（アドレスは、レジストリから既に得られているかも知れない）が含まれる。顧客は、更に、処方情報、たとえば処方名、薬剤の強度、薬剤の形態（即ち、タブレット、カプセル、ジェルカップなど）、処方量、一日服用量、可能な使用法、望まれる補助的薬局サービス、および入札時間限度（通常、数時間）を付加する。ステップ１２は、入札サービス提供者によって、もっと効率的に行われてよい。即ち、顧客特定情報、たとえば名前、選好、およびアドレスの少なくとも一部分を物理ファイルまたは電子データベースに記憶し、後に他の処方が顧客によって呈示されたとき、情報を呼び出すことによって行われてよい。更に、薬剤（名前、強度など）および／または薬剤サービスに関する情報は、好ましくは、間違いを少なくするためドロップダウン・メニューから顧客によって選択されるか、類似のプロセスで選択される。
【００２６】
次にステップ５６で、顧客は、製品およびサービス入札を提出する前に、類似製品の価格比較（ＳＰＰＣ）を選択するかどうかを質問される。可能な節約の大きさを顧客に通知するため、想起メッセージ５７を使用することができる。ＳＰＰＣプロセス５８において、入札サービス提供者は、可能性として低コストの類似製品が利用可能かについて、入札用にリストした薬剤製品を比較するリストを提供する。ステップ６０におけるリストの幾つかの例が、表１に示される。
【表１】
2007506195.tif 000003
【００２７】
表１は、第三者クーポンおよび顧客クーポンの欄を有する。クーポンは、薬剤の製造業者／供給者（本明細書では「ＰｈＲＭＡ」とも呼ばれる）からのディスカウントであり、第三者支払人および／または顧客への処方コストを削減する。顧客クーポンは、顧客が支払わなければならない金額を削減することによって、顧客が製造業者の製品を選択する奨励品として働く。同様に、第三者クーポンは、第三者支払人へのコストを削減する。第三者支払い人は、負担金支払いを削減し、および／または事前の許可（ＰＡ）を要求しないで、顧客に製造業者の製品を選択させることによって、節約金額の幾らかを顧客へ渡す（例示的薬剤のＡ〜Ｄについて、第三者へのコストに対する負担金支払い金額およびＰＡ要件を比較されたい）。典型的には、顧客へのコストがゼロよりも小さくなることは許されない（例示的薬剤のＥ）。ＰｈＲＭＡは、更に、ウェブ・リンクを提供して、顧客が薬剤に関する情報をもっと得られるようにする。更に、ＰｈＲＭＡは、ＳＰＰＣリストへリンクされた顧客へのダイレクト広告を有することができる。他の消費者リンクが利用可能にされてよい。
【００２８】
もちろん、顧客の現在の薬剤療法から低コスト製品への変更は、処方者によって承認されなければならない。更に、異なった薬剤療法は、事前の許可（ＰＡ）を必要とするかも知れない。ステップ６２において、顧客は、低コスト製品への可能な変更について、ＳＰＰＣリストを有する処方者に直接コンタクトするか、入札サービス提供者が顧客のために処方者へＳＰＰＣリストを送ることを許可するかのオプションを与えられる。
【００２９】
ステップ６２で、入札サービス提供者が処方者へＳＰＰＣリストを送ることを顧客が選ぶならば、ステップ６４で顧客は下記の情報を提供し、次にその情報は入札サービス提供者によって自動的に転送される。
処方者の名前
アドレス
電話番号
ファックス番号
もし利用できれば、Ｅメールアドレス
ＨＩＰＡＡ許可（ステートメント・チェックボックス）
クレジットカード情報
【００３０】
ステップ６６では、処方者は、顧客から呈示されたもの、または入札サービス提供者によって呈示されたＳＰＰＣリストをレビューする。ＳＰＰＣリスト・オプションの処方者承認／不承認を反映する処方は、ステップ１４（図１Ａ）の前に入札システムへ再提出される。もし必要ならば、新しい処方がステップ１３で入力される。
【００３１】
ステップ５６で、もし顧客がＳＰＰＣについてノーを選択するならば（図１Ｂ）、入札サービス提供者システムは、選択されたマイル半径に基づいて顧客の地理的サービスエリアを決定し、ステップ１４で示されるように、入札用の適切な顧客情報を、レジストリ・データベース内の適切な薬局へ送る。顧客サービスエリアは、入札サービス提供者レジストリ・データベースに登録された全ての薬局として定義される。これらの薬局は、顧客によってサービスエリア内で所与の距離、たとえば顧客から１０マイルの半径内にあるものとして定義されるか、ジオマッピング（geomapping）方法によって定義されるか、顧客の郵便番号プラス全ての隣接郵便番号によって定義されるか、メールオーダが選択される場合、メールオーダ薬局である（ＮＣＰＤＰインディケータまたはメールオーダ・レジストリ内のレジストリ・データベース・フィールドによって示される）。もし顧客によって選択されるならば、カナダ薬局レジストリまたは他のレジストリが含まれる。選択された薬局は、顧客によって選択された地理的区域の中にあるか、顧客によって選択された場合にはメールオーダ薬局であってよい。顧客は、更に、カナダ薬局または他の登録国／タイプの薬局が、処方および／またはサービス・アイテムに入札できるかどうかを質問されてよい。もしイエスであれば、入札サービス提供者のカナダ提供者レジストリおよび他の登録国／タイプで選択されたカナダ薬局および他の登録国／タイプの薬局へ入札情報が送られる。
【００３２】
ステップ１４では、資格付与プロセスを介して入札サービス提供者レジストリに加入し、顧客のサービスエリア内にある（または、選択された場合にメールオーダ・サービスを提供できる）薬局が、入札サービス提供者から処方入札要求の通知および入札への招待を受け取る。そのような通知は、好ましくは、電子手段、たとえばイントラネットまたはインターネットを介して行われる（もっとも、他の通知手段を使用することができる）。資格付与プロセスは、幾つかの規準、たとえば通常および定番製品およびサービスに対する最大請求金額への合意、登録契約ごとの通常および定番製品およびサービスへの入札、サービスが利用可能である場合に薬局価格請求金額表にリストされた価格での他の要求サービスへの入札、および非限定的に、薬剤教育、様々な引き渡し方法（たとえばメールオーダ、来店、および院内）、所望の処方包装の提供（たとえば単位服用量およびガラス瓶）、２４時間サービス、２４時間薬剤師呼び出しを含む要求されない他のサービスを入札へ付加することへの合意、および無料で予約に従って特定の予約について呈示された全ての処方を充足し、登録契約の全ての他の条件を遵守することへの合意を含んでよい。
【００３３】
薬局は値を付けることによって（手作業または自動的に）入札要求に応答する。これは、顧客によって要求され、ステップ１２の入札要求に含まれる全ての要件に合致しなければならない。応答する薬局は、更に、入札の中に追加のオプション・サービスを含ませてよい。ステップ２０で、各々の応答薬局は、その入札を入札サービス提供者へ提出する。入札は、好ましくは、電子的に、たとえばイントラネットまたはインターネットを介して、応答薬局から入札サービス提供者へ送信される。もっとも、好ましくない代替の通信形態、たとえば電話、ファックス、およびメールが使用されてよい。
【００３４】
代替の実施形態において、薬局は、入札するか入札しないかのオプションを与えられてよい。一般的に、入札オプション１８は、薬局の参加１８を最大にするため利用できない。
【００３５】
図１Ｃを参照すると、ステップ２２において、各々の応答薬局からの入札が入札サービス提供者によって受け取られるとき、それらの入札は、全ての応答薬局が見るために「逆オークション」フォームへ転記される。転記は、好ましくは、電子ネットワーク、たとえばイントラネットまたはインターネットを使用して実行される。これは、それぞれの入札の状況および相対的位置に関してリアルタイムのフィードバックを各々の応答薬局へ提供する。プロセスが活動している間、競争薬局から提案された低価格によってアンダービッドであった薬局は、より低い入札を新しく手作業で提出し、および／または無料でサービスを付加してよい。本発明の好ましい実施形態において、応答薬局は、入札の価格が提出された後、その価格を上げることは許されない。
【００３６】
薬剤データベース内の各々の薬剤または薬剤クラスについて、薬局登録者は、数学式を介して製品の入札サービス提供者薬局登録価格より下の最小価格を設定することを許される。薬剤は利用不可（ＮＡ）としてリストされてよい。登録された薬局の最小価格は、典型的には、標準企業価格インデックス、たとえば、商業的に利用可能な薬剤データベースの中の平均卸売価格（ＡＷＰ）または最大許容コスト（ＭＡＣ）に基づく。（例：価格＝ＡＷＰ−１０％＋＄２．５０の手数料）。更に洗練された本発明では、薬局は、より多くのオークションに含まれるように、各々の異なった第三者支払人について数式を調整してよい。薬局登録価格は、レジストリに含まれるように薬局が同意した最大許容価格である。再び薬局登録価格は、典型的には、標準企業価格インデックスに基づく。
【００３７】
薬剤は、ジェネリック製品識別子（ＧＰＩ）コード（１４文字構成）または他の薬剤分類システムによって特徴づけられてよい。７つの２文字ペアを表す１４文字は、様々な薬剤サブセットを定めるために使用される。薬剤グループ、薬剤クラス、薬剤サブクラス、薬剤の名前、薬剤投与形式、および薬剤の強度は、Ｍｅｄｉ−Ｓｐａｎ  ＭＤＤＢ薬剤データベース（http://www.medi-span.com/）の中に見い出される部分ＧＰＩのサブセットの６つである。ＧＰＩおよび他のデータ要素、たとえばジェネリック製品パッケージング・コード（ＧＰＰＣ）、および米国薬剤コード（ＮＤＣ）は、薬剤の価格決定、およびブランド対ジェネリック薬剤の決定を支援するように使用される。
【００３８】
薬局が標準ＢｉｄＲｘＳＭ登録価格とは異なる価格を欲する各々の製品について、一度、価格表が登録薬局によって完了されると、自動入札モジュールで逆オークションが開始する。自動入札モジュールは、各々の顧客アイテムについて、指定された下降増分で薬局のために値を付ける。自動入札は、薬局がそれ自身に対して値を付けない限り、または最小価格が満たされるまで継続する。最小価格は、市場競争を維持する手段として第三者支払人によって設定されてよい。
【００３９】
薬局提供者の手作業入札プロセスはスクリーンを含む。スクリーンは、要求のサービスエリアの中の入札薬局が、入札サービス提供者要求および現在の最低入札の全てを見ることを可能にする。通常および特注サービス価格は、代替請求用薬局価格の中に置かれ、要求されるサービスについて製品入札へ付加される。スクリーンは、薬局が各々の製品およびサービスの価格を手作業で入力することを可能にする。手作業オプションの使用は、更に、薬局が１つのオークションまたはオークション・グループについて最小値を一時的にリセットすることによって値を付け、また無料でサービスを付加して、顧客への最良適合を取得して入札に勝利することを可能にする。
【００４０】
薬局サービス・データベース内の各々のサービスについて、薬局は、通常および特別（Ｕ＆Ｃ）請求金額、無料（Ｎ／Ｃ）、利用不可（Ｎ／Ａ）、およびサービス量または単位ごとの最小請求金額のためにデータベース内にフィールドを設定することができる。一度、価格表がサービスについて設定されると、自動入札モジュールは、Ｕ＆Ｃ価格を使用して各々の顧客要求サービスに値を付ける。（Ｎ／Ｃ）としてリストされたサービスは、顧客がそのサービスを要求しても要求しなくても各々の入札へ加えられる。有料で提供されるサービスであって、顧客によって要求されないサービスは、顧客の将来の参照のために、通常および特注価格でサービス入札の可視スクリーンへ加えられる。
【００４１】
ステップ１２で入札がスタートするとき、各々の応答薬局からの最良入札が、ステップ２４で顧客へ報告される。顧客は、好ましくは、Ｅメール・メッセージを介して電子的に通知されるか、インターネットを介してアクセスされる。しかし、代替の手段、たとえば電話、ファックス、およびメールも使用されてよい。ステップ４０の入札報告は、逆オークションの間および／または設定された入札時間が終了した後に継続的に顧客へ提供されてよい。
【００４２】
各々の薬局入札から得られる製品およびサービスの各々の組み合わせに関して、最低入札がステップ２４で顧客へ戻される。製品およびサービスの薬局登録最大価格は、特定のオークションについて手作業または自動入札を有しないサービスエリア内の全ての薬局のために戻される。
【００４３】
ステップ２６の顧客インタフェースは、幾つかの異なった仕方で入札情報を表示させる。たとえば、
１．製品価格のみに基づく最低値から最高値まで。
２．組み合わせられた製品およびサービス価格に基づく最低値から最高値まで。
３．要求された以上のサービスを提案する薬局の組み合わせられた製品およびサービスに基づく最低値から最高値まで。
４．提案されたサービスの数に基づく最高値から最低値まで。
５．その他。
注：  上記のリストは、アイテムごとおよびトータルの価格を有する全入札要素、および名前、アドレス、電話番号、ファックス番号、薬局のＥメールアドレス、および利用可能であれば、薬局ウェブサイト・リンクを含む。
【００４４】
ステップ２６において、顧客は、個々の選好に基づいて、個々の必要性にマッチする最良入札を選択する。そのような選好は、好ましい薬局、処方コスト、利用可能な補助的サービス、および顧客への薬局の近接度を含んでよい。顧客は、入札期間の終了前に勝利入札を選択するオプションを与えられてよい。顧客は、このステップの間に顧客の選択を入札サービス提供者に通知し、入札サービス提供者は、処方に対する薬局入札条件に対応する予約番号およびコード・キーを顧客へ提供する。
【００４５】
ステップ２８では、不成功の応答薬局が、入札番号を通知され、また任意的に、非識別患者情報を提供される。ステップ３０では、成功した応答薬局も入札番号を通知され、（ステップ２６のように）顧客と同じ予約番号を提供され、患者識別情報を受け取ってよい。成功および不成功の薬局は、好ましくは、Ｅメール・メッセージまたはインターネット・ウェブサイトを介して通知されてよいが、代替の手段、たとえば電話およびファックスも使用されてよい。処方は、ステップ２６の薬局勝利入札の条件に従いコード・キーを薬局ＢｉｄＲｘＳＭ予約へ入力する成功応答薬局によってステップ３２で充足される。コード・キーは、処方が充足されたことの証明として働き、それによって入札サービス提供者が薬局へ支払うことを許可する。
【００４６】
ステップ３２において、顧客は通常の手段で薬局とコンタクトし、入札製品の有効な処方、予約番号、およびキー・コードを呈示する。（これは入札が裁定された後でのみ行うことができる）。勝利入札は、予約の有効期限まで入札サービス提供者のシステムの中に残っている。顧客および勝利薬局のみが、ログインおよびパスワードを介して勝利入札情報へアクセスすることができる。勝利薬局は処方を充足し、予約で指定されたサービスを入札価格で提供する。
【００４７】
ステップ３４で示されるように、予約の有効期限が過ぎた後、サービスエリア内の全ての薬局は、入札サービス提供者システムの上で顧客および薬局情報を除く勝利入札情報を利用することができる。このデータを見る薬局は、この情報について質問し、新しい入札に勝利するチャンスを改善できるようにすべきである。幾つかの例を挙げると、
１．指定された期間ごとの成功入札の数。
２．指定された期間ごとに利用可能な入札の数。
３．指定された期間内の薬局ごとの成功入札のパーセンテージ。
４．（更に、顧客が利用可能な）或る期間における製品およびサービスの勝利入札価格。
６．下記の選択に基づいた最高値から最低値までのリスト。
ａ．製品価格データベース
ｂ．サービス・データベース
【００４８】
薬局は入札情報を受け取り、
（ａ）ＢｉｄＲｘＳＭシステム・ユーザ・インタフェースを介して手作業で入札することができる。
（ｂ）薬局のために、ＢｉｄＲｘＳＭシステムに登録価格を自動的に入札させることができる。
（ｃ）ＢｉｄＲｘＳＭ自動入札モジュールに薬局設定最小値まで価格を下げて入札させることができる。
【００４９】
図１Ａへ戻って、もし顧客がステップ１０で（２）を選択すれば（薬物療法管理／他の認知サービスのみの入札要求）、ステップ３６で下記のタイプの薬剤認知サービスから選択することを求められる。
（１）薬剤ケア・コンサルティングおよび評価入札要求
（２）薬剤プロフィール評価入札要求
（３）他の認知サービス
図１Ａへ戻って、もし顧客がステップ１０で（２）を選択すれば（薬物療法管理／他の認知サービスのみの入札要求）、ステップ３６で下記のタイプの薬剤認知サービスから選択することを求められる。
（１）薬剤ケア・コンサルティングおよび評価入札要求
（２）薬剤プロフィール評価入札要求
（３）他の認知サービス
典型的には、入札サービス提供者は上記のサービスを提供せず、代わりに顧客がこれらのサービスの入札を要求し、これらのサービスの第三提供者が入札するシステムを提供し、それによって勝利入札価格でのサービス予約が生じる。代替の実施形態では、入札サービス提供者も適切な状況で入札して、ＭＴＭＳまたは他の認知サービスを提供してよい。更なる代替の実施形態では、入札サービス提供者は、自動的または有料オプションとして、入札システムを使用することによって得られた処方の顧客記録に基づいてＭＴＭＳ／他の認知サービスを実行してよい。
【００５０】
ＭＴＭＳ／他の認知サービスの１つの形態は、薬剤プロフィール評価入札要求（ＤＰＥ）である。ＤＰＥは、顧客が使用している現在の薬剤、診断、アレルギー、年齢、性、ダイエット、ライフスタイルなどのレビューである。レビューは、顧客の薬物療法の効果を最大にし、コストを最小にする。下記は、このタイプのレビューで達成される幾つかのアイテムである。
１．指示なしの薬剤の使用  −  顧客は医学的に有効な指示のない薬物療法を行っている。
２．処置されていない指示  −  顧客は薬物療法を必要とする医療問題を有するが、そのように指示された薬剤を受け取っていない。
３．不適正な薬剤選択  −  顧客は薬剤の指示を受けているが、間違った薬剤を使用しているか、顧客の特別の必要性に最も適切とはいえない薬剤を使用している。
４．過小療法投薬量  −  顧客は、正しいが過小な薬物療法で処置されている医療問題を有する。
５．過大投薬量  −  顧客は、正しいが過大な薬物療法で処置されている医療問題を有する。
６．逆薬剤反応  −  顧客は、逆薬剤反応または逆効果の結果である医療問題を有する。
７．薬剤の相互作用  −  顧客は、薬剤−薬剤、薬剤−食物、または薬剤−実験テスト相互作用の結果である医療問題を有する。
８．薬物療法モニタリング  −  有効性および毒性または逆効果について薬物療法を評価する入札要求。
９．薬物療法コスト  −  顧客が、低コストの薬物療法へアクセスするか、薬物療法アクセスへの障壁、たとえば規則集の制約または事前許可を克服することを助けるため、介入が必要である。
【００５１】
ＭＴＭＳ／他の認知サービスの他の形態は、薬剤ケアである。米国薬剤師協会（http://www.aphanet.org/）によって概説される薬剤ケアは、患者中心および結果指向の薬局活動であって、薬剤師が患者および患者の他のヘルスケア提供者と協力して働くことを要求し、健康を増進し、病気を防止し、薬物療法を評価、モニタ、イニシエート、および修正して、薬剤療法処方計画が安全で効果的であることを保証する。薬剤ケアの目的は、現実的な経済的費用の範囲内で、患者の健康関連生活を最適化し、積極的臨床結果を達成することである。この目的を達成するため、次のことが達成されなければならない。即ち、（Ａ）専門的関係が確立および維持されること、（Ｂ）患者特有の医療情報が収集、組織、記録、維持されること、および（Ｃ）患者特有の医療情報が評価され、薬物療法プランが患者と一緒に開発されること。
【００５２】
プランは、患者の病気または状態の各々に対処する様々な構成要素を有してよい。プランを設計するとき、薬剤師は病気の心理社会的局面および療法のコストおよび／または複雑度と患者準拠(adherence)との間の潜在的関係を注意深く考慮しなければならない。患者の擁護者の１人として、薬剤師は、薬剤療法と患者の他の薬剤提供者および患者との協調を保証する。更に、患者は、（１）薬剤療法に対してオプションの様々な損得（即ち、コスト、副作用、異なったモニタリング局面など）、および（２）１つのオプションが、薬剤師の専門的判断に基づいて、より利点がある事例を通知されなければならない。患者の責任を含むプランの本質的要素は、注意深くまた完全に患者へ説明されなければならない。情報は、患者が理解するレベルで患者へ提供されるべきである。薬剤療法プランは、患者の薬局記録の中に文書化され、必要に応じて患者の他のヘルスケア提供者へ通信されなければならない。
【００５３】
他の認知サービス入札およびサービスが提案されてよい。
【００５４】
図１Ｇで示されるように、ステップ３７では、顧客は所望のサービスエリアおよび所望の入札時間限度を入力するように要求される。ステップ３６での選択に依存して、異なるが類似のフロー路が取られる。薬剤ケア・コンサルティング入札要求３０１、または薬剤プロフィール評価入札要求３１１、または他の認知サービス入札要求２２１が、サービスエリア内のＭＴＭＳ／他の認知サービス提供者（３０３、３１３、３２３）のレジストリへ提出される。異なったレジストリ内のＭＴＭＳ／他の認知サービス提供者は、個々のＭＴＭＳ提供者の資格および利益に依存して同じであるか異なっていてよい。典型的には、ＭＴＭＳサービス提供者は、特に、薬剤師、医師、ナース、処方者、コンサルタント、薬剤代表者、または他のヘルス専門家を含む。ＭＴＭＳ／他の認知サービス提供者（３０３、３１３、３２３）は、逆オークションで自動的および／または手作業で入札する（３０５、３１５、３２５）。逆オークション（３０５、３１５、３２５）からの最低入札は、オークションの間継続的に、および／または入札期間が終了した後に顧客へ報告される。顧客は、入札をレビューし、顧客の選好に最良にマッチする入札を選択する（ステップ３０７、３１７、３２７）。ステップ３０９では、成功した入札者および顧客が、入札条件および価格を記述する予約番号を受け取る。ステップ３２９では、顧客は成功した入札者とコンタクトして、レビュー用の適切な情報を入札者へ提供する。成功した入札者は、典型的には、ＭＴＭＳ／他の認知サービス契約を容易にする入札サービスによって手数料を請求される。
【００５５】
ＭＴＭＳ／他の認知サービス予約番号ステートメントは、次のような指示を含んでよい。
「もし貴方が予約を実行したいのであれば、この予約番号、および貴方が現在行っていて、一般市販薬療法、ビタミン、サプリメント、および／またはハーブ療法を含む全ての薬物療法の完全なリストを、ＭＴＭＳ／他の認知サービス提供者へ与えてください。そうすれば、ＭＴＭＳ／他の認知サービス提供者は、貴方の処方を適切にレビューし、正しいサービスを貴方に提供することができます。他の認知サービス、入札、およびサービスが提案されてよい。
【００５６】
本発明の特徴は、患者が仕事、医療計画、医者、病院、または保険会社を変えても、入札システムを使用する患者によって得られた処方の連続履歴が維持されることである。現在、患者の処方履歴は、そのような変化の過程で頻繁には転送されず、それぞの変化の後で再作成されなければならない。そのような再作成は、患者の履歴に誤りまたは省略を生じる可能性がある。このシステムを使用すれば、顧客は、入札サービス提供者を介して行った全ての健康関連取引のレポートを得ることができ、そのレポートを勝利ＭＴＭＳ／他の認知サービス提供者へ提供することができる。
【００５７】
図１Ａおよび図１Ｄへ戻って、ステップ８で、もし顧客が「薬局処方の全部または一部を支払う薬剤カードを持っていますか」へイエスと答えると、ステップ８０で識別情報（たとえば、次の情報（ＢｉｄＲｘＳＭまたは保険カードに現れる））を入力するように求められる。
１．処方薬剤プランは誰によって管理されるか＊
２．グループ番号＊
３．プラン番号＊
４．加入者／カード所持人／会員番号＊
＊  このデータは、ＢｉｄＲｘＳＭＢｉｄＲｘＳＭカード内の第三者患者データベースから来る。各々のプランは、資格、奨励、負担金支払い、および事前許可データベースへ接続される。
【００５８】
登録の後、顧客は、薬剤処方およびサービス入札要求への入札を要求してよい。ステップ８２で、顧客は（１）薬剤処方およびサービス入札要求、または（２）薬物療法管理サービスのみの入札要求を選択することができる。
【００５９】
ステップ８２で、もし顧客が（１）を選択すると、図１Ｅで示されるＳＰＰＣを自動的に有する。もし薬剤が１００％の負担金支払いであれば、顧客は、ステップ５７で説明したようにＳＰＰＣへの機会を与えられる。もしＳＰＰＣが１００％負担金支払い薬物療法について選択されるならば、方法はステップ５８へ行く。ステップ８２で、もし顧客が（２）を選択すれば、前述したようにプロセスは図１Ｇへ進む。
【００６０】
もし異なった製品がＳＰＰＣから選択されるならば、ステップ２０１で、顧客は、要求された情報およびＳＰＰＣで選択された新しい製品を入力する。たとえば、薬剤処方、顧客の名前、顧客の言語選好、顧客のアドレスおよび顧客のＥメールアドレス、薬剤の名前＊、薬剤の強度＊、薬剤の形態＊、薬剤量＊、全ての処方の充足（もし選択されたならば、追加の処方がこの時点で付加される）、薬剤サービス、＊＊、薬剤教育、引き渡し、メールオーダ、カナダ薬局（イエスまたはノー）、単位投与量、ブリスター包装、ガラス瓶、遵守包装などを含む特殊包装、２４時間サービス、２４時間薬剤師呼び出し、薬物療法管理サービスなど、入札時間限度（時間）の選択である。
＊＝ポップアップ・ボックスまたは他の方法によって、データベース／リストから選択されるアイテム
【００６１】
もし第三者のプログラムが、特定の製品または製品グループについて事前の許可を必要とすれば、次のことが起こる。
１．入札サービス提供者システムは、「第三者」の許可された代表者が、これらの製品を自分自身の唯一無二のリストへ入力することを可能にする。各々の特定の製品または製品グループ一緒に、対応する「事前許可」（ＰＡ）フォームが存在する。このフォームは、処方者が充足してシステムへ戻すようにオンラインで利用可能である。
２．ステップ２０３では、入札サービス提供者システムは、第三者のリストで識別された「ＰＡ」要件について顧客から入力された製品をチェックする。
３．もし製品が「ＰＡ」リストの中に発見されるならば、ステップ２０５で、顧客は、処方者が入札サービス提供者システムの「事前許可」（ＰＡ）フォームの中へ情報を電子的に入力する必要がある旨のメッセージを戻される。「ＰＡ」フォームは、ステップ２０７でイエス／ノーまたはポップアップ・ボックスを使用して容易に処方者により充足される。
４．「事前許可」（ＰＡ）フォームが完成して承認されると、製品の入札が許される（ステップ２０３）。
【００６２】
顧客は、入札のために製品およびサービスの入札を提出する前に類似製品の価格比較（ＳＰＰＣ）を有するように、第三者支払人によって要求されてよい（ステップ２０９）。
【００６３】
顧客がステップ２１１で類似製品の価格比較（ＳＰＰＣ）の結果を提供された後、顧客はステップ２１３で入札サービス提供者がリストを処方者へ送ることを望むかどうかを質問される。もしノーであれば、入札サービス提供者は、処方者のレビューのためにＳＰＰＣを直接送る。もしイエスであれば、システムはステップ２１５で次の事項を質問する。
１．処方者の名前
２．アドレス
３．電話番号
４．ファックス番号
５．もし利用可能であれば、Ｅメールアドレス
６．ＨＩＰＡＡ許可（ステートメント・チェック・ボックス）
７．任意的に、入札サービス提供者がＳＰＰＣ結果を直接回送することについて、もし第三者が支払わないのであれば、顧客のクレジットカードまたは他の支払い情報
【００６４】
処方者は、ステップ２１７で、顧客によって呈示されたか入札サービス提供者によって呈示されたＳＰＰＣリストをレビューする。ＳＰＰＣでリストされたオプションの処方者による承認／不承認を反映する処方は、ステップ２１９で、図１Ｄのステップ８４に先立って入札システムへ再提出される。ステップ８４では、全ての必要な処方情報が入札サービス提供者によって入力される。
【００６５】
薬局は、ステップ８６で入札情報を受け取り、ステップ８８で、
１．入札サービス提供者システムのユーザ・インタフェースを介して手作業で入札し、
２．入札サービス提供者システムに登録価格を自動的に入札させ、
３．入札サービス提供者自動入札モジュールに薬局設定最小値まで価格を下げて入札させることができる。
【００６６】
プロセスは、図１Ｆで示されるステップ３８へ継続する。ステップ３８では、各々の応答薬局からの入札が入札サービス提供者によって受け取られるにつれて、それらの入札は全ての応答薬局のために転記され、「逆オークション」フォームで見えるようにされる。ステップ３８の逆オークションは、前述したものと同じである。転記は、好ましくは、電子ネットワーク、たとえばイントラネットまたはインターネットを使用して実行され、それぞれの入札の状況および相対的配置に関するリアルタイム・フィードバックを各々の応答薬局に提供する。プロセスが活動している間、競争薬局によって提案された低い価格によってアンダービッド（under-bid）であった薬局は、新しい低い入札を手作業で提出し、および／または無料でサービスを追加してよい。本発明の好ましい実施形態において、応答薬局は、入札価格が提出された後にそれを上げることは許されない。登録薬局は、前述したように逆オークションのために最小価格を設定することができ、および／または手作業で入札することができる。そうでなければ、登録薬局は自動的にデフォルト入札を提出する。デフォルト入札はレジストリの会員に許された最大価格である。
【００６７】
ステップ３８で入札がスタートするとき、各々の応答薬局からの最良入札がステップ４０で顧客へ報告される。顧客は、好ましくは、Ｅメール・メッセージを介して電子的に通知されるかインターネットを介してアクセスされるが、代替の手段、たとえば、電話、ファックス、およびメールも使用されてよい。ステップ４０での入札報告は、逆オークションの間継続的に、および／または設定入札期間が終了した後に顧客へ提供されてよい。
【００６８】
ステップ４０での顧客インタフェースは、入札情報が次のような幾つかの異なった仕方で表示されることを可能にする。
６．製品価格のみに基づく最低値から最高値まで
７．組み合わせられた製品およびサービス価格に基づく最低値から最高値まで
８．要求された以上のサービスを提案する薬局の製品およびサービスの組み合わせに基づく最低値から最高値まで
９．提案されるサービスの数に基づく最高値から最低値まで
１０．その他
注：  上記のリストは、アイテムごとおよびトータルの価格を有する全入札要素、および名前、アドレス、電話番号、ファックス番号、薬局のＥメールアドレス、および利用可能である場合の薬局のウェブ・サイト・リンクを含む。
【００６９】
ステップ４２において、顧客は、個々の選好に基づいて、顧客の個々の必要性とマッチする最良入札を選択する。そのような選好は、好ましい薬局、処方コスト、利用可能な補助的サービス、および薬局の顧客への近接度を含んでよい。顧客は、入札期間が終了する前に勝利入札を選択するオプションを与えられてよい。顧客は、このステップの間に入札サービス提供者へ選択を通知し、入札サービス提供者は、処方への薬局入札条件に対応する予約番号およびコード・キーを顧客へ提供する。
【００７０】
ステップ４４では不成功の応答薬局が通知される。成功した応答薬局も通知され、ステップ４４と同じように顧客と同じ予約番号を提供される。成功および不成功の薬局は、好ましくはＥメール・メッセージまたはインターネット・ウェブ・サイトを介して通知されてよいが、代替の手段、たとえば電話、ファックスも使用されてよい。処方は、ステップ４２の薬局の勝利入札条件に従いコード・キーを薬局ＢｉｄＲｘＳＭ予約へ入力することによって、成功応答薬局からステップ４６で充足される。コード・キーは、処方が充足されたことの証明として働き、それによって入札サービス提供者が薬局へ支払うことを許可する。
【００７１】
ステップ４６において、顧客は通常の手段によって薬局とコンタクトし、予約番号およびキー・コードを添えて入札製品の有効な処方を呈示する。（これは、入札が裁定された後でのみ行うことができる）。勝利入札は、予約の有効期限まで入札サービス提供者のシステムの中に残る。顧客および勝利薬局のみが、ログインおよびパスワードを介して勝利入札情報へアクセスすることができる。勝利薬局は処方を充足し、予約内に指定されたサービスを入札価格で提供する。
【００７２】
予約が有効期限を過ぎるか、処方が充足された後、ステップ４８で示されるように、入札サービス提供者のシステム上で、顧客および薬局情報を除く勝利入札情報がサービスエリア内の全ての薬局で入手可能となる。このデータを見る薬局は、新しい入札に勝利する機会を改善することを許容するために、この情報について質問５０を実行すべきである。幾つかの例示的質問は、
５．  指定期間当たりの成功入札の数。
６．  指定期間当たりに利用可能な入札の数。
７．  指定期間における薬局ごとの成功入札のパーセンテージ。
８．  或る期間にわたる製品およびサービスの勝利入札価格（顧客も入手可能）。
１１．  次のデータベースの選択に基づく最高値から最低値へのリスト。
ａ．  製品価格データベース
ｂ．  サービス・データベース
【００７３】
注意すべきは、本発明が、ヘルスケア保険プランに参加している顧客によって無制限に使用されてよいことである。同様に、保険に未加入の顧客は、本発明を使用して薬剤価格のディスカウントを取得し、所望の薬局サービスの利用を増加して、全ケア・コストを低くすることができる。
【００７４】
多数のレポートを生成するため、入札システム内に含まれる情報に対してデータ・マイニングが実行されてよい。一般的規則として、エンティティがどのような情報をシステムの中へ入力しても、レポートとして取り出すことができる。多数のレポートをオンラインで見ることができる。たとえば、ＳＰＰＣリスト、進行中のオークション（顧客／代理人または薬局ごと）、完了したオークションのサマリー・レポート、ローカルエリアの価格、全てのローカル薬局のリスト（これは、それら薬局のウェブ・ページへのリンクを含んでよい）、およびそれら薬局によって提供されるサービスのリストがある。同様に、処方者は、患者の代理人として行ったこと、ＰＡ承認、および／またはローカルエリアの薬剤価格に関するレポートへアクセスすることができる。薬局の追加レポートは、勝利したオークション価格、充足する必要がある処方の数、実際の販売価格と入札コストとの比較、エリア内の全ての薬局の販売明細（完了した販売であってラグタイム、たとえば３０日を与えられた販売）、薬局待ち行列における勝利オークションに基づく在庫必要量の推定、および全ての第三者支払人の最大および最小価格に関するレポートを含んでよい。薬局は、更に、全会社レベルで個々の薬局または地域薬局に関するレポートを入手してよい。顧客は、入札処方取引の全てに関するレポートを取得することができる。ＰｈＲＭＡは、非識別顧客のデータに関するレポート、購入されている薬局の詳細を入手することができる。
【００７５】
実施例
図２は、本発明の好ましい実施形態の時間配列表であって、薬剤を提供する入札プロセスのステップの順序および相互作用を示す。顧客１０１は、１０３で入札システム（ＢｉｄＲｘＳＭ）９９へ登録する。好ましくは、そのような登録はオンラインで行われる。次に、顧客は１０５でサインオン識別子を提供される。代替として、処方者１０７は顧客１０１の代理人１０９として働くことができる。処方者１０７も１１１で処方者として登録し、サインオン識別子１１３を取得してよい。
【００７６】
ＭＴＭＳ提供者１１５は紙または適当である場合にオンラインによって１１７で登録し、サインオン識別子１１９を受け取る。提供者／薬局１２１は紙または適当な場合にオンラインで登録し、サインオン識別子１２５を受け取る。薬局は、提案される最小価格およびサービスの表１２７を入札システム９９へ提供する。入札システム９９は表１２７と相互に作用して、合意された開始入札を設定し、更に薬局１２１と相互に作用して、異なった第三者支払人１２９によって課された最大および最小入札を通知する。
【００７７】
第三者支払人１２９は紙または適当な場合にオンラインで入札システム９９へ登録し、サインオン識別子１３３を受け取る。第三者支払人はプラン設計１３５を提出する。プラン設計１３５は負担金支払い、ＰＡおよび他の表、および最小および最大入札を含む。
【００７８】
薬剤供給者１３７（ＰｈＲＭＡとしても知られる）は１３９で紙または適当な場合にオンラインで登録し、サインオン識別子１４１を受け取る。ＰｈＲＭＡ１３７はクーポン／リベート表１４３を入札システム９９へ提供する。
【００７９】
オークションは顧客または代理人のサインオン１４５によって始まる。もし顧客がＭＴＭＳサービス１４７を選択すれば、適切なモジュールへ方向転換する。しかし、もし顧客または代理人が入札情報１４９を入力すれば、入札システム９９は第三者の資格１５１および適切な場合に第三者の事前承認要件１５３を自動的にチェックする。もし第三者の事前承認チェック１５３が必要であれば、１５５でＰＡ要求が処方者へ自動的に送付および戻されてよい。もし事前の許可が必要でないか、もし事前許可の要求が戻されるならば、ステップ１５７で入札が入札システム９９へ提出される。この時点で、顧客がＳＰＰＣ比較１５９を要求するか、顧客の代理人が或るＳＰＰＣ１６１を要求してよい。もし顧客が第三者支払いの資格を有すれば、ＳＰＰＣ要求が１６５で自動的に生成され、典型的には、関連手数料が第三者支払い人１２９へ請求される。もしＳＰＰＣ要求が顧客１５９または代理人１６１によって提供されるならば、顧客は支払い情報１６３を入力する。この時点で、もしＳＰＰＣ要求が前の手段のいずれかを介して提出されるならば、ＳＰＰＣリスト１６７が生成されて要求者１６９へ送信される。もしＳＰＰＣリストが顧客へ提供されると、顧客はリストから代替薬物療法の１つを選択してＳＰＰＣリストを処方者１６９へ提出する選択肢を有する。代替として、もし第三者支払人または処方者がＳＰＰＣリストを要求するならば、ＳＰＰＣリスト１６７は、処方者が承認、拒否、および必要な場合に事前の許可１６９を提供するために処方者１０７へ自動的に送られてよい。この時点で、入札要求はオークション・モジュール１７１へ送信される。自動入札１７５を伴うオークション１７３は、オークション事象の開始とほとんど同時に起こる。顧客１０１または医者の代理人１０７は入札状況１７５をレビューすることができ、任意の時点で、入札１７９を選択してオークションを完結することができる。オークション１７３が起こっている間、薬局１２１は進行中のオークションをレビューし、製品およびサービスへ手作業で入札し、この処方１７７を充足する権利を獲得しようと試みてよい。顧客１０１または医者の代理人１０７によって前に終了されなければ、オークション１７３はステップ１８１で所定の時間限度が終了したときに終了する。ステップ１８１において、顧客は入札の１つを受け入れるか、全部の入札を拒否する。もし顧客が入札を受け入れるならば、予約番号および入札情報（キー番号を含む）１８３が顧客へ送信される。同時に、予約番号（および顧客情報）１８５が勝利薬局１２１へ送信される。一度、処方が充足されて薬局が顧客の予約からキー番号を提供されると、薬局手数料１８７の電子転送が勝利薬局口座から入札システム９９の口座へ送られる。次に、ＰｈＲＭＡ１３７からのクーポンまたはリベート１８９も入札システム９９へ転送される。同様に、第三者手数料１９１が入札システム９９へ電子的に転送される。続いて、第三者支払いおよびＰｈＲＭＡ支払いが１９３で薬局１２１へ転送される。
【００８０】
本発明のシステム実施形態は処理ユニットを必要とする。この処理ユニットは、プロセスの所望のステップの全てを実行し、本明細書で説明した所望の機能の全てを提供することのできるルールエンジンでプログラムされる。処理ユニットはデータベースと電子的に通信しなければならない。データベースは、本明細書で説明したようにシステムの中へ入力される情報を記憶することができる。そのような情報は、特に、顧客および処方情報、価格規則、オークションの結果などを含む。システムは、更に、入力／出力デバイス、たとえばコンピュータ端末、Ｅメール・デバイス、および／またはインターネット・アクセス・デバイスと通信する。典型的には、入力／出力デバイスとの通信はイントラネット、インターネット、またはこれらの双方へ接続された１つまたは複数のサーバを介して行われる。
【００８１】
本発明の上記の説明から、当業者は本発明の中に改善、変更、および修正を認めるであろう。当技術分野内のそのような改善、変更、および修正は、カバーされることを意図される。同様に、当業者は、本発明の範囲を縮小することなく、方法の中の或るステップの順序を結合、削除、または再配列してよいことを認識するであろう。
【図面の簡単な説明】
【００８２】
【図１Ａ】競争的処方薬および／または入力サービス提供者の選択方法の流れ図である。
【図１Ｂ】競争的処方薬および／または入力サービス提供者の選択方法の流れ図である。
【図１Ｃ】競争的処方薬および／または入力サービス提供者の選択方法の流れ図である。
【図１Ｄ】競争的処方薬および／または入力サービス提供者の選択方法の流れ図である。
【図１Ｅ】競争的処方薬および／または入力サービス提供者の選択方法の流れ図である。
【図１Ｆ】競争的処方薬および／または入力サービス提供者の選択方法の流れ図である。
【図１Ｇ】競争的処方薬および／または入力サービス提供者の選択方法の流れ図である。
【図２】代表的入札システムの時間配列表である。
【符号の説明】
【００８３】
図１Ａについて
ＭＴＭＳ＝薬物療法管理サービス
ＳＰＰＣ＝類似製品の価格比較
６：  顧客はＢｉｄＲｘＳＭに登録する
−  患者の名前
−  患者の言語選好
−  患者のアドレス
−  患者のＥメールアドレス
８：  処方コストの全部または一部を支払う薬剤カードを持っていますか？
ノー
イエス、第三者の図Ｄへ行く
１０：顧客の選択
（１）薬剤処方およびサービスの入札要求
または
（２）ＭＴＭＳ／他の認知サービスのみの入札要求
図Ｂへ
３６：製剤ケア・コンサルティングの入札要求
または
薬剤プロフィール評価の入札要求
または
他の認知サービス
１３：入力された新しい処方は、薬剤情報の変更を除いて前の要求とマッチする
２０：ＢｉｄＲｘＳＭが自動的に入札する
または
薬局が手作業で入札する
注：
薬局は、入札要求の中にリストされた全ての要件の提供に基づいて入札しなければならない。
［薬局は、薬局によって同定された追加のオプション・サービスを入札してよい。］
１４：指定されたサービスエリア内の薬局は、ＲｘＢｉｄ要求およびＢｉｄＲｘＳＭ参照番号を受け取る。
薬局は、ＢｉｄＲｘＳＭレジストリにサインアップしていなければならない。
−  通常の定番サービスの最大請求額に合意する
−  通常の定番サービス、および提供される場合には、他のサービスを入札することに合意する。製品およびサービスは薬局価格表にリストされ、全ての製品およびサービスの利用可能性は顧客によって要求され、顧客によって選択されたサービスエリアまたはレジストリの中にある。
入札要求は次の事項を含む。
−  薬剤の名前
−  薬剤の強度
−  要求される薬局サービス
−  残っている入札時間
−  Ｒｘ要求番号
−  入札日付および時間
−  通常の定番サービスにつきレジストリによって許される最大請求額
図Ｃへ
図１Ｂについて
１２：顧客は処方および他の情報をリストする。
顧客は、次の事項をリストする。
−  薬剤の名前＊
−  薬剤の強度＊
−  薬剤の形態＊
−  薬剤の量＊
−  １日に使用される量
入札時間限度（時間）を選択する
薬剤サービス＊
ａ．薬剤教育
ｂ．引き渡し
ｃ．メールオーダ
ｄ．カナダ薬局／または他のレジストリ（イエスまたはノー）
ｅ．次の事項を含む特殊包装：
ｉ．  服用量単位
ii．  ブリスター包装
iii．  ガラス瓶
iｖ．  遵守包装
ｖ．  その他
ｆ．２４時間サービス
ｇ．２４時間薬剤師呼び出し
ｈ．薬物療法管理サービス
ｉ．その他
全てのＲｘを充足する
５７：ＳＰＰＣ想起メッセージ
５６：ＳＰＰＣを希望するか
イエス
ノー
５８：顧客は、請求書のためにクレジットカード情報を入力する。
ＢｉｄＲｘＳＭによるＳＰＰＣ
ＳＰＰＣリストが提供される。これは、より低いコストの類似製品が使用される場合にコストを節減するかも知れない。
６８：次に、処方がＢｉｄＲｘＳＭへ戻される。
図Ａ
６４：顧客は、次の事項を入力する。
処方者の名前
アドレス
電話番号
ファックス番号
Ｅメールアドレス
ＨＩＰＡＡの許可
任意的に、クレジットカード情報
入札処方
ＳＰＰＣの送信
６６：処方者はＳＰＰＣをレビューする。
顧客は、新しいＳＰＰＣを処方者へ呈示する。
６２：顧客またはＢｉｄＲｘＳＭは、ＳＰＰＣを処方者へ呈示すべきか
イエス、ＢｉｄＲｘＳＭ
ノー、ＢｉｄＲｘＳＭ
６０：ＳＰＰＣリストは、予測された節約金額＄＄と一緒に要求者へ戻される。
顧客は、プリントアウトを提供されるか、電子要求を介して価格および類似製品の比較を提供され、処方者へ呈示する。
図１Ｃについて
ＭＴＭＳ＝薬物療法管理サービス
ＳＰＰＣ＝類似製品の価格比較
２２：薬局は、割り振られた入札時間の枠の中で、希望する回数だけ入札してよい。
２８：不成功の入札薬局は、顧客によって選択された入札から３０日の後に通知され、次の事項を提供される。
−  要求番号
−  入札終了日付
−  薬剤の名前
−  薬剤の強度
−  薬剤の形態
−  薬剤の量
−  入札価格
−  提供されるサービス
３４：統計および一般的レポートは、不成功および成功入札薬局の双方で利用することができる。
手数料の注：
−  成功した入札薬局は、契約で定められた手数料をＢｉｄＲｘＳＭによって電子的に請求される。
−  クレジットカードまたは資金の電子転送が利用されてよく、ＢｉｄＲｘＳＭが薬局に支払う。
２４：入札時間が終了した後、各々の薬局からの製品およびサービスの組み合わせについて、最低入札が顧客へ報告される。または、もし薬局からの入札がなければ、サービスエリア内の全ての薬局からの製品およびサービスについて、ＢｉｄＲｘＳＭレジストリの価格が戻される。
−  薬局の名前
−  薬局のアドレス
−  薬局の電話番号
−  追加のサービス情報
−  薬剤の名前
−  薬剤の強度
−  薬剤の形態
−  薬剤の量
−  各々の組み合わせについて、薬局ごとの最低価格
−  入札価格の有効期限
２６：顧客は最良入札を選択し、ＢｉｄＲｘＳＭから予約番号を受け取る。この番号は、成功した薬局入札者へ呈示される。
顧客は、設定された７２時間の枠の中で入札および薬局との取引を実行しなければならない。予約は３０日間有効である。
３０：成功した入札薬局は、次の事項を通知および提供される。
−  患者の情報
−  予約番号
−  入札の終了日付
−  選択された入札の日付／時間
−  入札の有効期限
−  薬剤の名前
−  薬剤の強度
−  薬剤の形態
−  薬剤の量
−  入札価格
−  提供されるサービス
注：  適切な場所および時間に、電子処方として役立つかも知れない。
３２：顧客は、通常のやり方で処方および予約番号を勝利薬局に処方を呈示する。勝利薬局は処方を充足し、入札で設定した全てのサービスおよび条件を顧客に提供する。
図１Ｄについて
ＭＴＭＳ＝薬物療法管理サービス
ＳＰＰＣ＝類似製品の価格比較
８０：顧客は次の事項を入力する。
１．第三者支払人
２．グループ番号
３．プラン番号
４．加入者番号
ＢｉｄＲｘカードから
８２：顧客の選択
図Ｅへ
（１）薬剤処方およびサービスの入札要求
または
（２）ＭＴＭＳ／他の認知サービスのみの入札要求
薬剤ケア・コンサルティングの入札要求
または
薬剤プロフィール評価の入札要求
または
他の認知サービス
図Ｅから
１３：入力された新しい処方は、薬剤情報の変更を除いて前の要求とマッチする。
８８：ＢｉｄＲｘＳＭが自動的に入札する
または
薬局が手作業で入札する
注：
薬局は、入札要求の中にリストされた全ての要件を提供することに基づいて入札しなければならない。
［薬局は、薬局によって同定される追加のオプション・サービスを入札してよい。］
８６：指定されたサービスエリア内の薬局は、ＲｘＢｉｄ要求およびＢｉｄＲｘＳＭ参照番号を受け取る。
薬局は、ＢｉｄＲｘＳＭレジストリにサインアップしていなければならない。
−  通常の定番サービスについて最大請求金額に合意する
−  通常の定番サービスおよび他のサービスの入札に合意する
入札要求は、次の事項を含む。
−  薬剤の名前
−  薬剤の強度
−  要求される薬局サービス
−  残りの入札時間
−  入札の日付および時間
−  Ｒｘ要求番号
−  通常の定番サービスについてレジストリによって許される最大請求金額
８４：患者の名前
患者の言語選好
患者のアドレス
患者のＥメールアドレス
薬剤の名前＊
薬剤の強度＊
薬剤の形態＊
薬剤の量＊
１日に使用される量
入札時間限度（時間）を選択する
薬局サービスを選択する＊
＊薬局サービスは次のとおりである。
ａ．薬剤教育
ｂ．引き渡し
ｃ．メールオーダ
ｄ．カナダ薬局／または他のレジストリ（イエスまたはノー）
ｅ．次の事項を含む特殊包装：
ｉ．  単位服用量
ii．  ブリスター包装
iii．  ガラス瓶
iｖ．  遵守包装
ｖ．  その他
ｆ．２４時間サービス
ｇ．２４時間薬剤師呼び出し
ｈ．薬物療法管理サービス
ｉ．その他
全てのＲｘを充足する
図Ｆへ
図１Ｅについて
２０５：もしＰＡが要求され、ファイル上になければ、顧客はＢｉｄＲｘＳＭシステム上でＭＤにＰＡを完成させなければならない。
２０７：オンラインＰＡフォームを充足してＢｉｄＲｘＳＭへ転送する
第三者類似製品の価格比較
ＭＴＭＳ＝薬物療法管理サービス
ＳＰＰＣ＝類似製品の価格比較
５７、５８：ＳＰＰＣ想起メッセージ
ＳＰＰＣ  −  非公開の当事者
もし１００％の負担金であれば
ＳＰＰＣのためにＢｉｄＲｘＳＭへ送る
２０３：ＰＡが要求されて、ファイル上のＰＡであるか
イエス、ファイル上のＰＡ
またはＰＡは要求されない
２０９：ＢｉｄＲｘＳＭによるＳＰＰＣのみ
もし、より低いコストのＳＰＰＣが使用されるならば、コストを節減するＳＰＰＣリスト。
−  現金支出を節減するかも知れない。
２０１：顧客は処方および他の情報をリストする。
顧客は、次の事項をリストする。
−  薬剤の名前＊
−  薬剤の強度＊
−  薬剤の形態＊
−  薬剤の量＊
−  １日に使用される量
入札時間限度（時間）を選択する
薬局サービスを選択する＊
ａ．薬剤教育
ｂ．引き渡し
ｃ．メールオーダ
ｄ．カナダ薬局／または他のレジストリ（イエスまたはノー）
ｅ．次の事項を含む特殊包装：
ｉ．  服用量単位
ii．  ブリスター包装
iii．  ガラス瓶
iｖ．  遵守包装
ｖ．  その他
ｆ．２４時間サービス
ｇ．２４時間薬剤師呼び出し
ｈ．薬物療法管理サービス
ｉ．その他
全てのＲｘを充足する
図Ｄから
２１９：次に、処方療法はＢｉｄＲｘＳＭへ戻される
図Ｄ
２１７：処方者はＳＰＰＣをレビューする
２１５：顧客は、次の事項を入力する。
処方者の名前
アドレス
電話番号
ファックス番号
Ｅメールアドレス
ＨＩＰＡＡの許可
任意的に、クレジットカード情報
２１３：顧客またはＢｉｄＲｘＳＭは、ＳＰＰＣを処方者へ呈示すべきか?
イエス、ＢｉｄＲｘＳＭ
ノー、ＢｉｄＲｘＳＭ
顧客は処方者へＳＰＰＣを呈示する。
２１１：ＳＰＰＣは、予測された節約金額と一緒に要求者へ戻される。
顧客は、プリントアウトを提供されるか、電子要求を介して価格および類似製品の比較を提供され、処方者へ呈示する。
図１Ｆについて
ＭＴＭＳ＝薬物療法管理サービス
ＳＰＰＣ＝類似製品の価格比較
３８：薬局は、割り振られた入力時間の枠の中で希望の回数だけ入札してよい。
最低入札を達成するための入札プロセス
４８：不成功の入札薬局は、顧客によって選択された３０日後に通知され、次の事項を提供される。
−  要求番号
−  入札の終了日付
−  薬剤の名前
−  薬剤の強度
−  薬剤の形態
−  薬剤の量
−  入札価格
−  提供されるサービス
５０：統計および一般的レポートは、不成功および成功入札薬局の双方で利用できる
第三者の手数料の注：
−  成功した入札薬局は、顧客から負担金を集める。
薬局は、契約で定められた手数料をＢｉｄＲｘＳＭから請求される。
−  クレジットカードまたは電子口座が利用されてよく、ＢｉｄＲｘＳＭは製品およびサービスについて薬局に支払う。
４０：入札時間が終了した後、各々の薬局からの製品およびサービスの各々の組み合わせについて、最低入札が顧客へ戻される。または、もし薬局からの入札がなければ、サービスエリア内の全ての薬局からの製品およびサービスについて、ＢｉｄＲｘＳＭネットワーク価格が戻される。
−  薬局の名前
−  薬局のアドレス
−  薬局の電話番号
−  追加のサービス情報
−  薬剤の名前
−  薬剤の強度
−  薬剤の形態
−  薬剤の量
−  １日当たりの使用量
−  各々の組み合わせについて、薬局ごとの最低価格
−  最低負担金の金額
−  入札価格の有効期限
４２：顧客は最良入札を選択し、ＢｉｄＲｘＳＭから予約番号を受け取る。この番号は、成功した薬局入札者へ呈示される。
顧客は、設定された７２時間の枠の中で入札および薬局との取引を実行しなければならない。予約は３０日間有効である。
４４：成功した入札薬局は通知され、次の事項を提供される。
−  患者の情報
−  予約番号
−  入札の終了日付
−  入札が選択された日付／時間
−  入札の有効期限
−  薬剤の名前
−  薬剤の強度
−  薬剤の形態
−  薬剤の量
−  入札価格
−  提供されるサービス
注：  適切な場所および時間では、電子Ｒｘとして役立つかも知れない。
４６：顧客は、通常のやり方で処方および予約番号を勝利薬局に呈示する。勝利薬局は処方を充足し、入札で設定した全てのサービスおよび条件を顧客へ提供する。
図１Ｇについて
３７：サービスエリアおよび入札時間限度を入力する
３０１：製剤ケア・コンサルティングの入札要求
３１１：薬剤プロフィール評価の入札要求
３２１：他の認知サービス
３０３：サービスエリア内のＭＴＭＳ提供者へ
３１３：サービスエリア内のＭＴＭＳ提供者へ
３２３：サービスエリア内のＭＴＭＳ提供者へ
３０５：最低入札を達成する入札プロセス
３１５：最低入札を達成する入札プロセス
３２５：最低入札を達成する入札プロセス
３０７：顧客は、成功入札者から最良適合入札ＢｉｄＲｘＳＭを選択する
３１７：顧客は、成功入札者から最良適合入札ＢｉｄＲｘＳＭを選択する
３２７：顧客は、成功入札者から最良適合入札ＢｉｄＲｘＳＭを選択する
３０９：予約番号および他の情報：
（提供者の名前、アドレス、電話番号、ウェブ・リンク）
３２７：入札者は勝利入札を通知される
３２９：顧客および提供者が通信する
図２について
１０９：処方者が代理人として働く
１１１：処方者がオンラインで登録する
１０３：消費者がオンラインで登録する
１０５：サインオン識別子
１１７：ＭＴＭＳ提供者が登録する（紙）
１４５：消費者または代理人によるサインオン（事象）
１４９：消費者または代理人による入札情報の入力（事象）
１４７：ＭＴＭＳサービスの選択
１５１：第三者の資格のチェック
１５３：第三者のＰＡのチェック
１５５：ＰＡ要求が戻される（処方者）
１５７：入札がＢｉｄＲｘへ提出される（事象）
１５９：ＳＰＰＣ要求（消費者）
１６１：ＳＰＰＣ要求（処方者の代理人）
１６３：ＳＰＰＣ支払い情報の入力（消費者）
１６５：ＳＰＰＣ要求（第三者）
１６９：処方者のレビュー、承認／拒否のためにＳＰＰＣリストが送られる（薬局クーポン、第三者の規則集、および負担金支払いを含む）
１７１：入札要求（消費者または代理人）
１６７：ＳＰＰＣリスト
ＢｉｄＲｘシステム
１７３：オークション（事象）
１７５：消費者（医者の代理人）は入札状況をレビューできる（製品、サービス、および負担金支払い）
自動入札および
１７９：入札の選択
オークションの終了（消費者）
１８１：オークションが終了し、入札が受け入れられるか拒否される（消費者）
１８３：予約番号および入札情報が消費者（医者の代理人）へ送られる
１２３：薬局が登録する（紙）
１２５：サインオン識別子
１２７：価格およびサービスの表
１２９：第三者支払人
１２１：提供者／薬局
１３１：第三者が登録する（紙）
１３３：サインオン識別子
１３５：プラン設計
規則集の表
１３９：ＰｈＲＭＡが登録する（紙）
１４１：サインオン識別子
１４３：クーポン／リベートの表
１７７：手作業による入札
薬局は、進行中のオークションをレビューできる
薬局は、製品およびサービスを手作業で入札できる
１８５：予約番号および情報（薬局）
入札手数料が請求される
１８７：ＢｉｄＲｘへ薬局手数料を電子転送する
１８９：ＢｉｄＲｘへＰｈＲＭＡ手数料を電子転送する
１９１：ＢｉｄＲｘへ第三者手数料を電子転送する
【図１Ａ】
2007506195.tif 000004
【図１Ｂ】
2007506195.tif 000005
【図１Ｃ】
2007506195.tif 000006
【図１Ｄ】
2007506195.tif 000007
【図１Ｅ】
2007506195.tif 000008
【図１Ｆ】
2007506195.tif 000009
【図１Ｇ】
2007506195.tif 000010
【図２】
2007506195.tif 000011
【国際調査報告】
2007506195.tif 000012
2007506195.tif 000013